(57)【要約】【課題】  糖化ヘモグロビンの測定において、短時間で精密にかつ再現性良く、ＨｂＡ１ａ１、ＨｂＡ１ａ２、ＨｂＡ１ｂ、ＨｂＡ１ｃ及び、ＨｂＡ０を分離定量できる方法を提供する。更に、試料負荷量を改良した測定を行うことができ、従来のものより優れた糖化ヘモグロビンの分離定量法を提供する。【解決手段】  疎水性又は親水性ポリマーあるいはシリカゲルの非多孔性微小コアー粒子の表面にカチオン交換性ポリマーを導入することにより多孔性を発現させた表層多孔性型カチオン交換体を用いることを特徴とする当該糖化ヘモグロビンの測定法。これにより、現状の問題点を解決した短時間で分析精度および再現性の高い糖化ヘモグロビンの分離定量をおこなうことができる。【特許請求の範囲】
【請求項１】
表層多孔性型カチオン交換体を用いることを特徴とする糖化ヘモグロビンの分離定量法。
【請求項２】
表層多孔性型カチオン交換体の基材粒子（以下、コアー粒子と記す）の直径が１〜１５ミクロンの範囲である事を特徴とする請求項第１項に記載の方法。
【請求項３】
表層多孔性型カチオン交換体の表層部位がカチオン交換性ポリマー鎖の導入により多孔性を発現することを特徴とする請求項第１及び２項に記載の方法。
【発明の詳細な説明】
【技術分野】
【０００１】  本発明は、高速液体クロマトグラフイーによる糖化ヘモグロビンの分離定量法に関するものである。
【背景技術】
【０００２】  近年、血液中の糖化ヘモグロビンが長期にわたる平均的な血糖値を正確に反映する指標として認められ、糖尿病の診断法として糖化ヘモグロビンの測定が臨床診断や臨床検査の現場で広く行なわれている。【０００３】  糖化ヘモグロビン（以下、ＧＨｂと記す）は血液中の糖（グルコース）とヘモグロビンＡ０（以下、ＨｂＡ０と記す）が結合したものの総称であり、人の場合にはＨｂＡ１ａ１、ＨｂＡ１ａ２、ＨｂＡ１ｂ及びＨｂＡ１ｃなどが知られている。【０００４】  これらは一括して通常ＨｂＡ１と呼ばれている。ＨｂＡ１の中で最も量が多いのがＨｂＡ１ｃであり、ＨｂＡ０にグルコースが非酵素的に結合して生成される。【０００５】  ＨｂＡ１ｃの濃度は通常赤血球寿命の半減期に相当する１〜２ヶ月間の血液中の平均的血糖値をほぼ定量的に反映し、糖尿病患者では健常者より有意に高い値を示すことが認められている。【０００６】  以上のような理由により、ＧＨｂの測定は糖尿病の一次スクリーニングや長期血糖値管理の指標として従来の血糖値の測定に比べて信頼性が高く優れていると言われている。【０００７】  現在、ＧＨｂの測定には高速液体クロマトグラフイーによる方法が多く使用されているが、高速液体クロマトグラフイーの中でもカチオン交換体を充填剤に用いたイオン交換クロマトグラフイーが最も多く使用されている。【０００８】  カチオン交換体としては、カルボキシルメチル基やスルホプロピル基などのカチオン交換基が導入された全多孔性型カチオン交換体が主に使用されていたが、この種の充填剤は分離能が低く、分析時間も長いという問題があった。【０００９】  最近、この問題は細孔のない非多孔性型カチオン交換体を用いることによって解決され、短時間で高分離能が得られるようなったが、非多孔性型充填剤では多孔性型充填剤に比べて試料負荷量が小さいことが指摘されている。
【特許文献１】  特許公報第２９２９４５６号
【発明の開示】
【発明が解決しようとする課題】
【００１０】  現在、ＧＨｂの測定は前述したようにカチオン交換体を充填剤に用いた高速液体クロマトグラフイーによって行なわれているが、その装置はほとんどＧＨｂ測定用に自動化された専用装置が使用されている。【００１１】  また、これらの装置に用いられるカラムの充填剤には従来からの全多孔性型カチオン交換体やこれらの欠点を改良した非多孔性型カチオン交換体が広く使用されている。【００１２】  しかしながら、前述したようにどちらの充填剤も一長一短があり、分離能、分析時間及び試料負荷量などすべてを満足するＧＨｂの測定法は開発されていない。
【課題を解決しようとするための手段】
【００１３】  本発明者は以上のような現状にかんがみ課題を解決するためのＧＨｂの測定法について研究を重ねた結果、疎水性又は親水性ポリマーあるいはシリカゲルの非多孔性微小コアー粒子の表面にカチオン交換性ポリマー鎖を導入することにより多孔性を発現させた表層多孔性型カチオン交換体を用いることにより現状の課題を解決することを見出し本発明に到達した。
【００１４】  本発明に使用される表層多孔性型カチオン交換体の具体例としては、例えば、ＳｅｐａｘＴｅｃｈｎｏｌｇｉｅｓ社より市販されている表層多孔性型イオン交換体ＰｒｏｔｅｏｍｉｘＳＡＸ−ＮＰやＤｉｏｎｅｘ社より市販されているＰｒｏＰａｃＳＣＸ−１０などが挙げられる。
【００１５】  これらはいずれも直径が３〜１０ミクロンの中性の高親水性薄膜を結合させた硬質球状高架橋型ポリスチレンジビニルベンゼンのコアー粒子にカチオン交換性ポリマー鎖が導入された表層多孔性型カチオン交換体である。
【００１６】  これらの充填剤は従来の全多孔性型充填剤とは異なり表層のみが多孔性型のため試料の拡散距離が短かく高速で高分離能が得られるうえに試料負荷量は非多孔性型充填剤に比べて大きい。
【発明の効果】
【００１７】  上述したような特徴を有する表層多孔性型カチオン交換体を用いることにより、従来の充填剤で欠点とされた高速高分離能（分析時間）あるいは試料負荷量を改良したイオン交換クロマトグラフイーを行なうことができ、従来より優れた糖化ヘモグロビンの分離定量法が可能になった。
【発明を実施するための最良の形態】
【００１８】  以下、本発明を実施例により更に詳細に説明するが、本発明はこれら実施例に限定されるものではない。
【実施例１】
【００１９】  表層多孔性型充填剤を用いて実際にＧＨｂ測定を実施した。充填剤としてはＳｅｐａｘ社製の表層多孔性型カチオン交換体Ｐｒｏｔｅｏｍｉｘ−ＮＰ（粒子径；３ミクロン、カラムサイズ；４．６ｍｍＩ．Ｄ．ｘ３．５ｃｍ）を用いた。【００２０】  比較として、従来の多孔性型充填剤には東ソー社製のＧＨｂ分析用カラムＧｌｙｃｏＨＳカラム（カラムサイズ；４．６ｍｍＩ．Ｄ．ｘ３．５ｃｍ）、非多孔性型充填剤には同様に東ソー社製のＧＨｂ分析用カラムＧｌｙｃｏＨＳｉカラム（カラムサイズ；４．６ｍｍＩ．Ｄ．ｘ３．５ｃｍ）を使用した。【００２１】  溶出は２液のグラジエント方式による塩濃度勾配溶出法で行い、検出波長は４１５ｎｍを用いた。試料には糖尿病患者血液２μｌに０．１％ＴｒｉｔｏｎＸ−１００を１ｍｌ加えて溶血した溶血液１０μｌを使用した。【００２２】  溶離液には（１）液に２０ｍＭ  ＭＥＳ緩衝液＋２０ｍＭ  ＮａＣｌ（ｐＨ５．６）、（２）液に２０ｍＭＭＥＳ緩衝液＋４００ｍＭ  ＮａＣｌ（ｐＨ５．６）を用い、流速１．５ｍｌ／ｍｉｎで（１）液から（２）液への３分間リニアーグラジエントでのＧＨｂ分析を行った。【００２３】  その結果、分離時間約３分で不安定型ＨｂＡ１ｃ、安定型ＨｂＡ１ｃ、ＨｂＦ及びＨｂＡ０を分離することができた。【００２４】  また、これらのカラムでの不安定型ＨｂＡ１ｃと安定型ＨｂＡ１ｃの分離能（以下、Ｒｓと記す）の比較を行ったところ、表層多孔性型充填剤ＰｒｏｔｅｏｍｉｘＳＣＸ−ＮＰでは、Ｒｓ１．５１、非多孔性型充填剤ＧｌｙｃｏＨＳｉでは、Ｒｓ１．４８であったが、多孔性型充填剤Ｇｌｙｃｏ−ＨＳでは十分な分離が得られずＲｓは算出できなかった。
【実施例２】
【００２５】  実施例１で、従来の多孔性型充填剤よりも表層多孔性型充填剤及び非多孔性型充填剤の方が高速での高分離分析に優れていることがわかった。ここでは、表層多孔性型充填剤と非多孔性型充填剤を用いて分離能への試料負荷量の影響を調べた。【００２６】  表層多孔性型充填剤としてはＤｉｏｎｅｘ社のＰｒｏＰａｃＳＣＸ−１０（粒子径；１０ミクロン、カラムサイズ；４．６ｍｍＩ．Ｄ．ｘ３．５ｃｍ）を用いた。非多孔性型充填剤としては実施例１と同様に東ソー社製のＧＨｂ分析用カラムＧｌｙｃｏＨＳｉカラム（カラムサイズ；４．６ｍｍＩ．Ｄ．ｘ３．５ｃｍ）を使用した。【００２７】  測定条件は試料負荷量を除いて実施例１と同じにして、溶血液の注入量を５μｌから７５μｌまで変化させると、非多孔性型充填剤ＧｌｙｃｏＨＳｉでは注入量が１０μｌを越えると分離能が低下した。この時の注入量はヘモグロビン量約５μｇに相当する。【００２８】  一方、表層多孔性型充填剤ＰｒｏＰａｃＳＣＸ−１０では注入量が４０μｌまでは同じ分離能が得られた。このときのヘモグロビン量は約２０μｇに相当し、非多孔性型充填剤の約４倍の試料負荷量まで同じ分離が得られた。【００２９】  試料負荷量を大きくできると室温の変化や複数の溶離液を用いた測定時の溶離液切り替えによるベースラインの変動を小さくすることができるため、ＧＨｂの測定精度や再現性の向上を図ることができる。【００３０】  ちなみに、ｎ＝１０における変動係数（以下、Ｃ．Ｖ．値と記す）は、表層多孔性型充填剤では不安定型ＨｂＡ１ｃ及び安定型ＨｂＡ１ｃのピーク面積値に対しそれぞれ１．０１％、０．８１％であった。一方、非多孔性型充填剤ではそれぞれ１．７５％、１．５２％であった。【００３１】  以上の説明から明らかなように、液体クロマトグラフイーによるＧＨｂの測定において表層多孔性型充填剤を用いることにより短時間での高分離能の達成に加えて、現在、ＧＨｂ測定に用いられている充填剤よりも分離能を低下することなく試料負荷量を大きくすることができるため、前述のごとく従来よりも高い分析精度や再現性を有したＧＨｂの分離定量法を提供できる。